(57)【要約】【目的】  所定個所に固定できるようにしたコインホルダーのコイン収容部の蓋部体を大きく開閉可能なものとして片手の操作で簡単にコインの出し入れができると共にキャラクターフィギュアのディスプレイ機能を兼備した新製品を提供する。【構成】  所定サイズのコイン７を積重ねて収容・保持する円筒状のコインホルダー１であって、コインホルダー下部の接着手段１５により適宜な設置場所にコインホルダー１を固定し、コインホルダー上部の開閉可能とされた蓋部体５を上部面積の５０％以上で開くことができるものとすることで、収容・保持したコイン７を片手で簡単に取出すことができる。【選択図】        図１
0003104785.tif 000002
【実用新案登録請求の範囲】
【請求項１】
所定サイズのコインを積重ねて収容・保持する円筒状のコインホルダーであって、コインホルダー下部の接着手段により適宜な設置場所にコインホルダーを固定し、コインホルダー上部の開閉可能とされた蓋部体を上部面積の５０％以上で開くことができるものとすることで、収容・保持したコインを片手で簡単に取出すことができるようにされたことを特徴とする蓋部を開閉可能としたコインホルダー。
【請求項２】
蓋部体の上部にキャラクターフィギュアを固定的又は着脱可能なものとして取付けてディスプレイすることができることを特徴とする請求項１に記載の蓋部を開閉可能としたコインホルダー。
【請求項３】
蓋部体の上部に２箇所以上の屈曲部と回転部を備えたアーム部を取付け、該アーム部の先端にキャラクターフィギュアを取付けるための所定方式による着脱機構を設けることで、屈曲部と回転部を操作してアーム部先端に取付けたキャラクターフィギュアに所望の姿勢を採らせることができるようにされたことを特徴とする請求項１に記載の蓋部を開閉可能としたコインホルダー。
【考案の詳細な説明】
【技術分野】
【０００１】
本考案は、コインホルダーに関して所定箇所に固定したコインホルダーのコイン収納部の蓋部体を大きく開閉可能なものとして片手の操作で簡単にコインの出し入れができると共にキャラクターフィギュアのディスプレイ機能をも兼備した新規なコインホルダーを提供しようとするものである。
【背景技術】
【０００２】
コインホルダーは各種コインを整理して収納・保存しておくために種々の工夫を加えたものが提案され実際に市販もされている。特に自動車などの運転中に必要とされる小銭を収容・保持する目的のものも市販されている。
【０００３】
また、各種のキャラクターフィギュアは趣味的コレクションの対象として多様なものが製品化され、キャラクター選択やデザイン等に工夫を凝らした商品展開が行われている。
【０００４】
このようなキャラクターフィギュアは、人物や動物、ロボットなどの形状を模したものが多いが、コレクションの対象として乗り物や機械などのミニチュア模型も同様に扱われることが多く、ここではこれらも含めてキャラクターフィギュアと捉えることにする。
【０００５】
また、コインホルダーそのものについては、コインの収納方法や展示方法に工夫を凝らした提案がなされており、代表的には以下のような特許文献が見出される。
【特許文献１】登録実用新案第３０８０５８２号公報
【考案の開示】
【考案が解決しようとする課題】
【０００６】
しかし、上記のような既存技術においてはコインホルダーは複数種類のコインを整理して収納するなどの機能について工夫が加えられているだけである。特に自動車運転中に必要とされる小銭を収容したコインホルダーの如きに関しては、片手での使用に配慮されていないものは実際的な利用ができ難い。また、コインホルダーとしての機能以外にキャラクターフィギュアのディスプレイ部材としての機能の如きを付加するような提案はなされていない。
【課題を解決するための手段】
【０００７】
本考案は、上記したよう既存技術における課題を解消すべく検討を重ねて創案されたものであって、所定箇所に接着手段によって固着させた状態でコインホルダーの蓋部体が大きく開閉可能なものとすることで、自動車の運転中などにおいても片手で容易に小銭（コイン）の出し入れができると共に、付加的機能として各種キャラクターフィギュア（マスコット）にディスプレイ機能をも付加した新製品を提案するものであって、具体的には以下の如くである。
【０００８】
（１）所定サイズのコインを積重ねて収容・保持する円筒状のコインホルダーであって、コインホルダー下部の接着手段により適宜な設置場所にコインホルダーを固定し、コインホルダー上部の開閉可能とされた蓋部体を上部面積の５０％以上で開くことができるものとすることで、収容・保持したコインを片手で簡単に取出すことができるようにされたことを特徴とする蓋部を開閉可能としたコインホルダー。
【０００９】
（２）蓋部体の上部にキャラクターフィギュアを固定的又は着脱可能なものとして取付けてディスプレイすることができることを特徴とする請求項１に記載の蓋部を開閉可能としたコインホルダー。
【００１０】
（３）蓋部体の上部に２箇所以上の屈曲部と回転部を備えたアーム部を取付け、該アーム部の先端にキャラクターフィギュアを取付けるための所定方式による着脱機構を設けることで、屈曲部と回転部を操作してアーム部先端に取付けたキャラクターフィギュアに所望の姿勢を採らせることができるようにされたことを特徴とする請求項１に記載の蓋部を開閉可能としたコインホルダー。
【実施例】
【００１１】
このような本考案のコインホルダー１についての具体的な実施例の若干を添付図面に示すところを利用して説明すると以下のとおりである。
すなわち、図１は本考案のコインホルダー１の内部構造を透視図的に示したものである。
【００１２】
コインホルダー本体２にはスプリング３が内蔵されており、その上にコインホルダー中蓋パーツ４が載置固定されている。さらにその上にはコインホルダー外蓋パーツ５が備えられ、両者の隙間にスリット部６が形成されるように成っていることで所定サイズの各種コイン７を該スリット部６から挿入して保持できるように成っているものである。
【００１３】
コイン７が挿入されることで中蓋パーツ４を介してスプリング３は押し下げられ、コインホルダー本体２の高さに応じた所定枚数が整然と積重ね保持できるものである。また、外蓋パーツ５はその一端部をカシメ構造８としてコインホルダー本体２と連結されており、該カシメ構造８を中心として所定角度の回転を行って外蓋パーツ５が開閉するものと成っている。
【００１４】
すなわち、図２に示すように外蓋パーツ５はカシメ構造８部分を中心に回転して開閉できるものであり、開放時においてコインホルダー１の上部面積の５０％が開き収容したコイン（小銭）７の過半が露出されるようになっているものである。この状態においてはコイン７にしっかりと指をかけることができ、その出し入れが容易且つ確実に行えるものである。
また、外蓋パーツ５の開閉手法としては図示のような回転スライド方式も良いが、ヒンジ構造などによる開閉方式や直線的なスライド開閉方式を採用することもできる。要は開放時において収容したコイン（小銭）７の出し入れが容易なように露出されるようになれば良いのである。
【００１５】
さらに、コインホルダー１の底パーツ部１４に両面テープなどを利用した接着手段１５を備えさせると、例えば、自動車のダッシュボード上の適宜な位置に本考案のコインホルダー１を固定させ、運転中に必要となる小銭等を片手の操作で簡単・確実に出し入れすることができるようになる。
【００１６】
本考案は、このようなコインホルダー１の外蓋パーツ５上に各種キャラクターフィギュア９を取付けてディスプレイ機能を兼備させることも提案するものである。
このキャラクターフィギュア９は外蓋パーツ５上に固定的に備付けるものとしても良いし、適宜な着脱構造によって任意な着脱が可能なものとしても構わない。
【００１７】
さらに、本考案においては、この外蓋パーツ５の上部にキャラクターフィギュア９を自在に着脱できるキャラクターフィギュア取付けアーム１０を備えるようにすることも可能である（図１に示すように）。ここでキャラクターフィギュア取付けアーム１０の先端には一定のフィギュア取付構造１１が形成され、着脱されるキャラクターフィギュア１２の所定箇所にも対応する取付構造１１ａが形成されるようにしておくものである。
【００１８】
このような取付構造１１、１１ａとしては簡単な凸部と凹部の組合せといったものでも足り、両者のサイズが相応しいものとして対応していれば、複数種類のキャラクターフィギュア９を任意に交換して着脱させることが可能である。もちろん、しっかりとした取付けが可能なものであれば、適宜に相応しい取付構造１１、１１ａを応用することが認められる。
【００１９】
また、キャラクターフィギュア取付けアーム１０には合わせて２箇所以上の屈曲部１２と回転部１３が備えられ、好みに応じて屈曲・回転させて、これによって取付けたキャラクターフィギュア９の姿勢を変化させることができるように成っている。すなわち、このような屈曲と回転の組合せによって実現されるキャラクターフィギュア９の姿勢変化を固定してコインホルダー１の上で任意にディスプレイすることが可能となるものである。
【００２０】
例えば、キャラクターフィギュア９として飛行機模型などを採用する場合には、このような屈曲・回転操作の組合せによって離陸状態、旋回状態、着陸状態などを任意に選んで表現しディスプレイさせることができるものである。
【００２１】
さらにキャラクターフィギュア９自体に適宜な可動部を設けて変形可能なものとしておけば、より多様な姿勢変化を任意に楽しむことができるディスプレイ台として本考案のコインホルダー１を利用することができる。
【００２２】
以上説明したように本考案のコインホルダーはそのコインホルダーとしての機能に付随してキャラクターフィギュアを適宜な姿勢で固定・保持できるディスプレイ台としても利用可能なものとして提案することができ、着脱交換可能な各種キャラクターフィギュア（マスコット）を組合わせて製品化するなど、コレクション性を備えた市場展開を図ることもでき、新たな需要を喚起する潜在力を秘めたものとして産業上の利用可能性が高い考案である。
【図面の簡単な説明】
【００２３】
【図１】本考案によるキャラクターフィギュア取付けアームを備えたコインホルダーの１例について、その内部構造を透視図的に示した図面である。
【図２】コインホルダー上部の外蓋パーツの開閉状況を平面図的に説明する図面である。
【符号の説明】
【００２４】
１    本考案のコインホルダー
２    コインホルダー本体
３    スプリング
４    コインホルダー中蓋パーツ
５    コインホルダー外蓋パーツ
６    スリット部
７    コイン
８    カシメ構造
９    キャラクターフィギュア
１０    キャラクターフィギュア取付けアーム
１１    取付構造（アーム側）
１１ａ    取付構造（キャラクター側）
１２    屈曲部
１３    回転部
１４    底パーツ部
１５    接着手段
【図１】
0003104785.tif 000003
【図２】
0003104785.tif 000004